(57)【特許請求の範囲】
【請求項１】
受信信号における共通パイロットチャネルの受信品質を測定する受信信号処理部と、
基地局から通知される報知情報から、共通制御チャネルの送信パワーに関するパワー情報を抽出する通知情報処理部と、
前記受信品質および前記パワー情報に基づいて、前記共通制御チャネルの受信品質および干渉信号レベルを算出する信号解析部と、
品質情報記憶部と、を備え、
前記信号解析部は、前記共通制御チャネルでの受信に失敗したときの共通制御チャネルの受信品質および干渉信号レベルを算出し、算出された共通制御チャネルの受信品質および干渉信号レベルを受信不可情報として前記品質情報記憶部に格納し、また、前記共通制御チャネルでの受信に成功したときの共通制御チャネルの受信品質および干渉信号レベルを算出し、算出された共通制御チャネルの受信品質および干渉信号レベルを受信可能情報として前記品質情報記憶部に格納し、
さらに、前記品質情報記憶部から前記受信不可情報を取得し、前記受信不可情報に基づいてネットワークとの接続の可否判断を行う接続可否判断部をさらに備えることを特徴とするＣＤＭＡ方式の移動端末。
【請求項２】
請求項１に記載のＣＤＭＡ方式の移動端末において、
ネットワークを検索するネットワーク検索部をさらに備え、
前記接続可否判断部が接続可能と判断したとき、ネットワークに対して接続要求を行い、前記接続可否判断部が接続不可と判断したとき、前記ネットワーク検索部により検索された別のネットワークに対して接続要求を行うように構成されていることを特徴とするＣＤＭＡ方式の移動端末。
【請求項３】
請求項１に記載のＣＤＭＡ方式の移動端末において、
前記接続可否判断部が接続不可と判断したとき、待ち受け中または呼制御開始時にネットワークに対して共通制御チャネルの周波数または通信方式の変更を要求する変更部をさらに備えることを特徴とするＣＤＭＡ方式の移動端末。
【請求項４】
請求項３に記載のＣＤＭＡ方式の移動端末において、
前記報知情報は、変更後の共通制御チャネルの周波数または通信方式の候補を含み、
前記変更部は、前記候補に含まれる所定の周波数または通信方式への変更を行うことを特徴とするＣＤＭＡ方式の移動端末。
【請求項５】
受信信号における共通パイロットチャネルの受信品質を測定する受信信号処理部と、
基地局から通知される報知情報から、共通制御チャネルの送信パワーに関するパワー情報を抽出する通知情報処理部と、
前記受信品質および前記パワー情報に基づいて、前記共通制御チャネルの受信品質および干渉信号レベルを算出する信号解析部と、を備え、
前記信号解析部は、待ち受け中または呼制御開始時に測定された共通パイロットチャネルの受信品質と前記報知情報から抽出された前記パワー情報とに基づいて算出された共通制御チャネルの受信品質および干渉信号レベルを含む第１情報と、受信に失敗した共通制御チャネルの受信レベルおよび干渉信号レベルを含む第２情報とを生成するように構成され、
さらに、前記第１情報と前記第２情報とに基づいて、ネットワークに対して要求する共通制御チャネルの送信パワーを決定する送信パワー決定部をさらに備えることを特徴とする移動端末。
【請求項６】
ＣＤＭＡ方式の移動通信方法であって、
共通制御チャネルでの受信に失敗した受信信号における共通パイロットチャネルの受信品質を測定するステップと、
基地局から通知される報知情報から、共通制御チャネルの送信パワーに関するパワー情報を抽出するステップと、
前記受信品質および前記パワー情報に基づいて、前記受信信号における共通制御チャネルの受信品質および干渉信号レベルを算出するステップと、
算出された共通制御チャネルの受信品質および干渉信号レベルを受信不可情報として記憶するステップと、
前記受信不可情報に基づいてネットワークとの接続の可否判断を行うステップとを備えることを特徴とする移動通信方法。
【請求項７】
請求項６に記載の移動通信方法において、
ネットワークとの接続が可能と判断したとき、ネットワークに対して接続要求を行うとともに、ネットワークとの接続が不可と判断したとき、別のネットワークに対して接続要求を行うステップを含むことを特徴とする移動通信方法。
【請求項８】
請求項６に記載の移動通信方法において、
ネットワークとの接続の可否判断を行うステップにて接続不可と判断したとき、待ち受け中または呼制御開始時にネットワークに対して共通制御チャネルの周波数または通信方式の変更を要求するステップを含むことを特徴とする移動通信方法。
【請求項９】
請求項８に記載の移動通信方法において、
前記報知情報は、変更後の共通制御チャネルの周波数または通信方式の候補を含み、
前記周波数または通信方式の変更を要求するステップにおいて、前記候補に含まれる所定の周波数または通信方式への変更を行うことを特徴とする移動通信方法。
【請求項１０】
請求項６に記載の移動通信方法において、
前記受信信号は、ネットワークから間欠的に送信され、間欠的に送信される受信信号のそれぞれは、シーケンスナンバーおよび送信タイミングを示す情報を含むことを特徴とする移動通信方法。
【請求項１１】
請求項６に記載の移動通信方法において、
前記共通制御チャネルは、ネットワークに設けられた共通制御チャネル専用の周波数を利用するものであることを特徴とする移動通信方法。
【請求項１２】
請求項６に記載の移動通信方法において、
待ち受け中または呼制御開始時に測定された共通パイロットチャネルの受信品質と、前記報知情報から抽出された前記パワー情報とに基づいて算出された共通制御チャネルの受信品質および干渉信号レベルを含む第１情報と、受信に失敗した共通制御チャネルの受信レベルおよび干渉信号レベルを含む第２情報とを生成するステップと、
前記第１情報と前記第２情報とに基づいて、ネットワークに対して要求する共通制御チャネルの送信パワーを決定するステップとをさらに含むことを特徴とする移動通信方法。
【発明の詳細な説明】
【技術分野】
【０００１】
本発明は、ＣＤＭＡ方式の移動端末、ＣＤＭＡ方式  の移動通信方法、および通信品質推定方法に関する。
【背景技術】
【０００２】
ＣＤＭＡ方式の移動端末では、個別トラフィックチャネルでの受信の場合、受信品質が最適になるようにネットワークとの間でクローズドループのパワー制御が行われる（特開２００１−７７６１号公報）。【０００３】
しかしながら、呼制御に使用する共通制御チャネル（ＣＣＣＨ）は、他の移動端末のユーザと共有で使用するため、共通制御チャネルでの受信の場合は、パワー制御を行うことができない。このため、無線環境によっては、共通制御チャネルで受信ができないことがあり、この場合は呼接続の失敗や再送による接続遅延が発生する。
【発明の開示】
【０００４】
そこで、本発明の目的は、上記のような共通制御チャネルでの受信不能による呼接続の失敗や接続遅延等の問題を解決することを目的とする。
【０００５】
本発明によれば、
受信信号における共通パイロットチャネルの受信品質を測定する受信信号処理部と、
基地局から通知される報知情報から、共通制御チャネルの送信パワーに関するパワー情報を抽出する通知情報処理部と、
前記受信品質および前記パワー情報に基づいて、前記共通制御チャネルの受信品質および干渉信号レベルを算出する信号解析部とを備えることを特徴とするＣＤＭＡ方式の移動端末が提供される。
【０００６】
また、本発明によれば、ＣＤＭＡ方式の移動通信における通信品質を推定する通信品質推定方法であって、
受信信号における共通パイロットチャネルの受信品質を測定するステップと、
基地局から通知される報知情報から、共通制御チャネルの送信パワーに関するパワー情報を抽出するステップと、
前記受信品質および前記パワー情報に基づいて、前記共通制御チャネルの受信品質および干渉信号レベルを算出するステップとを含むことを特徴とする通信品質推定方法が提供される。
【０００７】
また、本発明によれば、ＣＤＭＡ方式の移動通信方法であって、
共通制御チャネルでの受信に失敗した受信信号における共通パイロットチャネルの受信品質を測定するステップと、
基地局から通知される報知情報から、共通制御チャネルの送信パワーに関するパワー情報を抽出するステップと、
前記受信品質および前記パワー情報に基づいて、前記受信信号における共通制御チャネルの受信品質および干渉信号レベルを算出するステップと、
算出された共通制御チャネルの受信品質および干渉信号レベルを受信不可情報として記憶するステップと、
前記受信不可情報に基づいてネットワークとの接続の可否判断を行うステップとを備えることを特徴とする通信方法が提供される。
【０００８】
本発明においては、（ｉ）受信信号から共通パイロットチャネルの受信品質を測定するとともに、報知情報から共通制御チャネルの送信パワーに関するパワー情報を抽出し、（ｉｉ）これらを用いることにより共通制御チャネルの受信品質と干渉信号レベルが算出される。ここで算出された受信品質および干渉信号レベルを利用することにより、共通制御チャネルでの受信失敗による呼接続の失敗や再送による接続遅延を効果的に抑制することができる。
【０００９】
上記で算出された受信品質および干渉信号レベルを利用する態様としては、種々の態様を採用することができる。例えば、過去に共通制御チャネルでの受信に失敗した時の状況を統計的に記憶しておき、待ち受け中や呼接続開始時に確実に共通制御チャネルを受信できるように隣接セルやネットワークを検索したり、ネットワークに対して周波数や通信方式の変更を要求したりすることができる。また、ネットワーク側で共通制御チャネル専用の周波数を設けることにより、個別トラフィックチャネルの干渉を受けることなく、また他ユーザの受信品質への影響を抑えながら、移動端末からの要求に応じて共通制御チャネルの送信パワーを制御することができる。
【図面の簡単な説明】
【００１０】
【図１】移動端末が受信する信号とその信号から測定する情報とを説明するための図である。
【図２】報知情報の内容を説明するための図である。
【図３】移動端末による共通制御チャネルの受信レベルと干渉信号レベルの推測方法を説明するための図である。
【図４】本発明の第１の実施形態に係る移動端末の構成の一例を示す図である。
【図５】本発明の第２の実施形態に係る移動端末の動作の一例を説明するためのフローチャートである。
【図６】本発明の第２および第３の実施形態に係る移動端末の構成の一例を示す図である。
【図７】本発明の第３の実施形態に係る移動端末の動作の一例を説明するためのフローチャートである。
【図８】本発明の第４の実施形態に係る移動端末の動作の一例を説明するためのフローチャートである。
【図９】本発明の第４の実施形態に係る移動端末の構成の一例を示す図である。
【図１０】本発明の第５の実施形態に係るネットワーク側のパワー制御を説明するための図である。
【図１１】本発明の第５の実施形態に係る移動端末の構成の一例を示す図である。
【発明を実施するための最良の形態】
【００１１】
以下、本発明の実施の形態について、図面を用いて説明する。尚、すべての図面において、同様な構成要素には同様の符号を付し、適宜説明を省略する。【００１２】
（第１の実施形態）
ＣＤＭＡ方式の移動端末においては、一般的に、現在使用中のセルおよびその隣接セルからパイロット信号を送信するために用いられる共通パイロットチャネル（ＣＰＩＣＨ）の受信品質を常に監視、比較し、より受信品質の良いセルを選択して使用する。【００１３】
ここで、受信品質は、共通パイロットチャネルの受信コードパワー（ＲＳＣＰ）や、総受信電界レベル（ＲＳＳＩ）に占める共通パイロットチャネルの受信コードパワーの割合（Ｅｃ／Ｎｏ）などを使用して算出される。【００１４】
しかし、呼制御に使用する共通制御チャネル（着信信号などの制御信号を送信するチャネル）は、共通パイロットチャネルに拡散コード多重される別のチャネルである。それらの多重パワー比（共通パイロットチャネルのコードパワーと共通制御チャネルのコードパワーとの比）は、共通制御チャネルの種類により異なり、また、ネットワーク（セル）によっても異なる。また、上述の共通パイロットチャネルの受信品質を使用する場合、共通制御チャネルに対する干渉信号レベルを考慮することができない。【００１５】
これに対して、本発明では、共通パイロットチャネルの受信品質だけでなく、共通制御チャネルの受信品質および干渉信号レベルを利用して、共通制御チャネルの受信特性の向上を図る。【００１６】
具体的には、共通パイロットチャネルの受信品質およびネットワークから通知される共通制御チャネルのパワー情報から、共通制御チャネルの受信品質および干渉信号レベルを推測する。以下に、待ち受け中の移動端末の一例を示す。【００１７】
図１に、移動端末が受信する信号と測定する情報を示し、図２に、ネットワーク（セル）から報知情報によって移動端末に通知される情報を示し、図３に、移動端末による共通制御チャネルの受信レベルと干渉信号レベルの推測方法を示す。図１〜図３において、各記号の意味は以下の通りである。【００１８】
共通パイロットチャネルの送信パワー値：ＣＰＩＣＨ  ｐｏｗｅｒ
共通制御チャネル１の受信レベル：ＣＣＣＨ１  ＲＸ
共通制御チャネル２の受信レベル：ＣＣＣＨ２  ＲＸ
共通制御チャネル１の送信パワー：ＣＣＣＨ１  ｏｆｆｓｅｔ
共通制御チャネル２の送信パワー：ＣＣＣＨ２  ｏｆｆｓｅｔ
共通パイロットチャネルの受信パワー：ＣＰＩＣＨ  ＲＸ
総受信電界レベル：ＲＳＳＩ
干渉信号レベル：ＩＣＨ  ＲＸ【００１９】
図１に示すように、移動端末は、共通パイロットチャネル（ＣＰＩＣＨ）からパイロット信号を受信し、共通制御チャネル１（ＣＣＣＨ１）から報知情報などの制御信号を受信し、共通制御チャネル２（ＣＣＣＨ２）から着信信号などの制御信号を受信し、その他のチャネル（ＩＣＨ）から干渉信号を含む信号を受信する。また、移動端末は、総受信電界レベル（ＲＳＳＩ）と、共通パイロットチャネルの受信パワー（ＣＰＩＣＨ  ＲＸ）とを測定する。【００２０】
図２に示すように、移動端末は、不図示の基地局からブロードキャストで送信されてくる報知情報から、共通パイロットチャネルの送信パワー値（ＣＰＩＣＨ  ｐｏｗｅｒ）と、共通制御チャネル１，２の送信パワー（ＣＣＣＨ１  ｏｆｆｓｅｔ，ＣＣＣＨ２  ｏｆｆｓｅｔ）とが通知される。なお、共通制御チャネル１，２の送信パワーとは、共通制御チャネル１，２の送信パワー値を共通パイロットチャネルの送信パワー値（ＣＰＩＣＨ  ｐｏｗｅｒ）で除算したものである。【００２１】
図３に示すように、移動端末は、図１で測定した総受信電界レベル（ＲＳＳＩ）および共通パイロットチャネルの受信パワー（ＣＰＩＣＨ  ＲＸ）と、図２で通知された共通パイロットチャネルの送信パワー値（ＣＰＩＣＨ  ｐｏｗｅｒ）および共通制御チャネル１，２の送信パワー（ＣＣＣＨ１  ｏｆｆｓｅｔ，ＣＣＣＨ２  ｏｆｆｓｅｔ）を用いて、共通制御チャネル１，２の受信レベル（ＣＣＣＨ１  ＲＸ，ＣＣＣＨ２  ＲＸ）および干渉信号レベル（ＩＣＨ  ＲＸ）を算出する。【００２２】
図４は、図３に示した機能を果たすＣＤＭＡ方式の移動端末の一例についての機能ブロックを示したものである。【００２３】
図４に示すように、移動端末１００は、アンテナ１０２と、無線部１０４と、信号処理部１１０と、信号解析部１２０と、受信信号情報記憶部１５０と、受信品質記憶部１６０とを有する。【００２４】
信号処理部１１０は、受信信号処理部１１２と通知情報処理部１１４とを有する。信号解析部１２０は、共通チャネル受信品質推定部１２２と干渉信号レベル推定部１２４とを有する。受信信号情報記憶部１５０は、共通パイロットチャネル情報記憶部１５２と共通制御チャネル情報記憶部１５４とを有する。受信品質情報記憶部１６０は、受信品質記憶部１６２と干渉信号記憶部１６４とを有する。【００２５】
無線部１０４は、ネットワーク（セル）からアンテナ１０２を介して信号を受信する。すなわち、無線部１０４は、図１および図３に示すように、共通パイロットチャネルからパイロット信号を受信し、共通制御チャネル１から報知情報などの制御信号を受信し、共通制御チャネル２から着信信号などの制御信号を受信し、その他のチャネルから干渉信号を含む信号を受信する。【００２６】
信号処理部１１０は、無線部１０４が受信した信号の処理を行う。【００２７】
受信信号処理部１１２は、受信信号における共通パイロットチャネルの受信品質を測定する機能を果たす。すなわち、受信信号処理部１１２は、図１および図３に示すように、総受信電界レベル（ＲＳＳＩ）と、共通パイロットチャネルの受信パワー（ＣＰＩＣＨ  ＲＸ）とを測定し、これらの測定値を共通パイロットチャネル情報記憶部１５２に格納する。【００２８】
通知情報処理部１１４は、図２および図３に示すように、不図示の基地局からブロードキャストで送信されてくる報知情報から、共通パイロットチャネルの送信パワー値（ＣＰＩＣＨ  ｐｏｗｅｒ）と、共通制御チャネル１，２の送信パワー（ＣＣＣＨ１  ｏｆｆｓｅｔ，ＣＣＣＨ２  ｏｆｆｓｅｔ）とをそれぞれ抽出し、これらを共通制御チャネル情報記憶部１５４に格納する。【００２９】
信号解析部１２０は、受信信号情報記憶部１５０に格納された情報に基づいて、共通制御チャネルの受信品質および干渉信号レベルを算出する。【００３０】
共通制御チャネル受信品質推定部１２２は、共通パイロットチャネル情報記憶部１５２から共通パイロットチャネルの受信パワー（ＣＰＩＣＨ  ＲＸ）を取得するともに、共通制御チャネル情報記憶部１５４から共通制御チャネル１，２の送信パワー（ＣＣＣＨ１  ｏｆｆｓｅｔ，ＣＣＣＨ２  ｏｆｆｓｅｔ）をそれぞれ取得する。そして、共通制御チャネル受信品質推定部１２２は、これら取得したデータに基づいて、下記式により共通制御チャネル１，２のそれぞれの受信レベル（ＣＣＣＨ１  ＲＸ，ＣＣＣＨ２  ＲＸ）を算出する。
ＣＣＣＨ１  ＲＸ＝ＣＰＩＣＨ  ＲＸ＋ＣＣＣＨ１  ｏｆｆｓｅｔ
ＣＣＣＨ２  ＲＸ＝ＣＰＩＣＨ  ＲＸ＋ＣＣＣＨ２  ｏｆｆｓｅｔ【００３１】
干渉信号レベル推定部１２４は、共通パイロットチャネル情報記憶部１５２から、総受信電界レベル（ＲＳＳＩ）と共通パイロットチャネルの受信パワー（ＣＰＩＣＨ  ＲＸ）を取得するともに、共通制御チャネル受信品質推定部１２２から、共通制御チャネル１，２の受信レベル（ＣＣＣＨ１  ＲＸ，ＣＣＣＨ２  ＲＸ）を取得する。そして、干渉信号レベル推定部１２４は、これら取得したデータに基づいて、下記式により干渉信号レベル（ＩＣＨ  ＲＸ）を算出する。
ＩＣＨ  ＲＸ＝ＲＳＳＩ−（ＣＰＩＣＨ  ＲＸ＋ＣＣＣＨ１  ＲＸ＋ＣＣＣＨ２  ＲＸ）【００３２】
以上のようにして算出された共通制御チャネルの受信レベルおよび干渉信号レベルは、受信品質記憶部１６２および干渉信号記憶部１６４にそれぞれ格納される。【００３３】
（第２の実施形態）
本実施形態では、過去に共通制御チャネルでの受信に失敗した時の共通制御チャネルの受信品質および干渉信号レベルを記憶しておき、呼制御開始時に、共通制御チャネルで確実に受信可能なネットワークを即座に検索する。【００３４】
例えば、移動端末側から発信（発呼）する場合、図５に示すようなシーケンス動作が行われる。
（１）移動端末側から発信（発呼）する場合（ステップ５０１）、まず、移動端末からネットワークに対し、ランダムアクセスチャネル（ＲＡＣＨ）を使用して接続要求を行う（ステップ５０２）。
（２）次に、ネットワークから移動端末に対し、共通制御チャネル（ＣＣＣＨ）を使用して呼制御情報を送信する（ステップ５０３）。
（３）しかし、移動端末側で共通制御チャネルで受信ができない場合は、ランダムアクセスチャネルの再送による接続遅延や呼接続自体の失敗が発生する。このように共通制御チャネルでの受信に失敗した場合、移動端末は、共通制御チャネルの受信品質および干渉信号レベルを統計的に記憶しておく（ステップ５０４）。
（４）一方、移動端末側で共通制御チャネルでの受信に成功した場合も（ステップ５０５，５０６）、移動端末は、共通制御チャネルの受信品質および干渉信号レベルを統計的に記憶しておく（ステップ５０７）。
（５）次回、移動端末側から発信（発呼）する場合（ステップ５０８）、移動端末は、呼接続が可能なレベルではなく、共通制御チャネルでの受信ができない場合は（ステップ５０９）、即座に別のセルやネットワークを検索する（ステップ５１０）。３ＧＰＰの仕様においては、隣接セルや他の通信方式のネットワークを定期的に検索するように規定されているが、本実施形態の場合は、呼接続を成功させるために定期的ではなく即座に検索動作に入る。
（６）その後、移動端末は、検索されたネットワークに対し、ランダムアクセスチャネルを使用して接続要求を行う（ステップ５１１）。【００３５】
上記フローは、図６に示した構成のＣＤＭＡ方式の移動端末により実現することができる。【００３６】
図６において、信号解析部１２０は、上述の実施形態に示した手法等を用い、発信（発呼）時に、共通制御チャネルの受信品質および干渉信号レベルを確認する。そして、信号解析部１２０は、受信信号情報記憶部１５０に格納された情報に基づき、受信に成功した信号および受信に失敗した信号について、共通制御チャネルの受信品質および干渉信号レベルを算出する。受信に成功した信号の算出結果は、受信可能情報として、また、受信に失敗した算出結果は、受信不可情報として、受信品質記憶部１６２および干渉信号記憶部１６４に格納される。以上の機能は、第１の実施形態で述べたものと同様である。【００３７】
接続可否判断部１７２は、受信品質情報記憶部１６０から上記受信不可情報を取得し、これに基づいてネットワークとの接続の可否判断を行う。なお、ネットワークとの接続の可否判断には、受信可能情報を参照してもよい。【００３８】
ネットワーク検索部１７４は、接続可否判断部１７２が接続不可と判断したとき、別のネットワークを検索する。【００３９】
無線部１０４は、ネットワーク検索部１７４の検索により抽出されたネットワークに対し接続要求を行う。【００４０】
以上の構成により、呼制御開始時に、共通制御チャネルで確実に受信可能なネットワークを即座に検索することが可能となる。【００４１】
（第３実施形態）
本実施形態では、上述のような移動端末の動作をトリガーとしない共通制御チャネルの信号（例えば、着信信号）の受信にも対応するために、移動端末の待ち受け中に、ネットワークから移動端末に送信される着信信号の中にシーケンスナンバーおよび過去に送信したタイミングの情報を含める。これにより、着信信号を受信した移動端末は、着信信号を受信できる（できない）受信品質を認識することができる。【００４２】
そして、移動端末は、着信信号の受信に失敗した時の着信信号の受信品質および干渉信号レベルを統計的に記憶しておき、待ち受け中に着信信号を確実に受信可能なネットワークを即座に検索する。【００４３】
例えば、ネットワークから移動端末へ着信（着呼）する場合、ネットワークから移動端末に対し、ページングチャネル（ＰＣＨ）を使用して着信通知を行い、移動端末からネットワークに対し、ランダムアクセスチャネル（ＲＡＣＨ）を使用して接続要求を行う。【００４４】
しかし、移動端末側で共通制御チャネル（この場合、ＰＣＨ）で受信ができない場合は、ネットワークからの再送による接続遅延や着信自体の失敗が発生する。これを防ぐために、例えば、図７のようなシーケンス動作が行われる。
（１）ネットワークから移動端末へ着信（着呼）する場合（ステップ７０１）、まず、ネットワークから移動端末に対し、ＰＣＨを使用して着信通知（シーケンスナンバー１、タイミング０００）を行う（ステップ７０２）。
（２）移動端末側でＰＣＨでの受信に失敗した場合、移動端末は、ＰＣＨの受信品質および干渉信号レベルを定期的（例えば、間欠受信周期毎）に監視する。そして、移動端末は、ＰＣＨでの受信に失敗した時のＰＣＨの受信品質および干渉信号レベルを記憶する（ステップ７０３）。
（３）次に、ネットワークから移動端末に対し、ＰＣＨを使用して再度着信通知（シーケンスナンバー２、タイミング００３）を行う（ステップ７０４）。
（４）移動端末側でＰＣＨでの受信に失敗した場合、移動端末は、ＰＣＨの受信品質および干渉信号レベルを定期的（例えば、間欠受信周期毎）に監視する。そして、移動端末は、ＰＣＨでの受信に失敗した時のＰＣＨの受信品質および干渉信号レベルを記憶する（ステップ７０５）。
（５）次に、ネットワークから移動端末に対し、ＰＣＨを使用して再度着信通知（シーケンスナンバー３、タイミング００４）を行う（ステップ７０６）。
（６）移動端末側でＰＣＨでの受信が成功した場合は、移動端末は、ＰＣＨでの受信に成功した時のＰＣＨの受信品質および干渉信号レベルを記憶する（ステップ７０７）。
（７）その後、移動端末からネットワークに対し、ランダムアクセスチャネル（ＲＡＣＨ）を使用して接続要求を行い（ステップ７０８）、ネットワークから移動端末に対し、共通制御チャネル（ＣＣＣＨ）を使用して呼制御情報を送信する（ステップ７０９）。【００４５】
このように、移動端末は、ネットワークから受信したＰＣＨに含まれるシーケンスナンバーとタイミングからＰＣＨでの受信に過去２回失敗したことを認識し、ＰＣＨでの受信に失敗した時のＰＣＨの受信品質および干渉信号レベルを記憶することになる。【００４６】
上記フローは、図６に示した構成のＣＤＭＡ方式の移動端末により実現することができる。【００４７】
図６において、信号解析部１２０は、上述の実施形態に示した手法等を用い、定期的に共通制御チャネルの受信品質および干渉信号レベルを監視する。そして、信号解析部１２０は、受信信号情報記憶部１５０に格納された情報に基づき、受信に成功した信号および受信に失敗した信号について、共通制御チャネルの受信品質および干渉信号レベルを算出する。受信に成功した信号の算出結果は、受信可能情報として、また、受信に失敗した信号算出結果は、受信不可情報として、受信品質記憶部１６２および干渉信号記憶部１６４に格納される。以上の機能は、第１実施形態で述べたものと同様である。【００４８】
接続可否判断部１７２は、受信品質情報記憶部１６０から上記受信不可情報を取得し、これに基づいてネットワークとの接続の可否判断を行う。なお、ネットワークとの接続の可否判断には、受信可能情報を参照してもよい。【００４９】
ネットワーク検索部１７４は、接続可否判断部１７２が接続不可と判断したとき、別のネットワークを検索する。【００５０】
無線部１０４は、ネットワーク検索部１７４の検索により抽出されたネットワークに対し接続要求を行う。【００５１】
以上の構成により、呼制御開始時に、共通制御チャネルで確実に受信可能なネットワークを即座に検索することが可能となる。【００５２】
（第４の実施形態）
また、本実施形態では、過去に共通制御チャネルでの受信に失敗した時の共通制御チャネルの受信品質および干渉信号レベルを記憶しておき、待ち受け中や呼制御開始時に、ネットワークに対して確実に受信可能な共通制御チャネルでの送信を要求する。【００５３】
具体的には、待ち受け中または呼制御開始時に、移動端末は、ネットワークに対して共通制御チャネルの周波数または通信方式の変更を要求する。【００５４】
ここで、ネットワークから移動端末へ送信されてくる報知情報の中に、変更後の周波数または通信方式の最低限必要な情報を含めておくことにより、移動端末は、ネットワークからの個別の通知なしに、周波数または通信方式の変更を行い、共通制御チャネルで確実に受信することができる。【００５５】
以下に、本実施形態のシーケンスの一例を示す。ここでは、図８に示すようなシーケンス動作が行われる。
（１）移動端末は、周波数＝ｘｘｘ、通信方式＝ＣＤＭＡで待ち受け中である（ステップ８０１）。
（２）この状態で、ネットワークから移動端末に対し、報知情報を通知する（ステップ８０２）。この時、報知情報の中には、予め用意された周波数＝ｙｙｙや通信方式＝ＧＳＭ＋パラメータを含める。
（３）移動端末は、共通制御チャネル（ＣＣＣＨ）の受信品質および干渉信号レベルを常に監視する（ステップ８０３）。
（４）この状態で、移動端末は、ユーザによって発信（発呼）動作を行う（ステップ８０４）。
（５）この時、共通制御チャネルの受信品質または干渉信号レベルが共通制御チャネルでの受信が失敗するレベルまで下がっていた場合（ステップ８０５）、移動端末は、ランダムアクセスチャネル（ＲＡＣＨ）の中に周波数変更要求（ｘｘｘ→ｙｙｙ）を含める（ステップ８０６）。そして、このランダムアクセスチャネルを使用して、移動端末からネットワークに対し、接続要求を行う（ステップ８０７）。
（６）その後、ネットワークから移動端末に対し、ＣＣＣＨを使用して呼制御情報を送信する（ステップ８１０）。この時、ネットワークおよび移動端末ともに、周波数＝ｙｙｙ、通信方式＝ＣＤＭＡを使用する（ステップ８０８，８０９）。【００５６】
本実施形態においては、上述の周波数変更をより効果的にするために、ネットワーク側で共通制御チャネル専用の周波数を設けてもよい。これにより、通信中の他ユーザの個別トラフィックチャネルの干渉を受けることなく、また、他ユーザの通信品質へも影響することなく、確実に共通制御チャネルで受信することができる。【００５７】
また、共通制御チャネル専用の周波数を設けることにより、他ユーザの通信品質への影響がなくなるため、移動端末からの個別要求に応じて共通制御チャネルの送信パワーを制御することが可能になる。【００５８】
上記フローは、図９に示した構成のＣＤＭＡ方式の移動端末により実現することができる。【００５９】
図９において、信号解析部１２０は、上述の実施形態に示した手法等を用い、定期的に共通制御チャネルの受信品質および干渉信号レベルを監視する。そして、信号解析部１２０は、受信信号情報記憶部１５０に格納された情報に基づき、受信に成功した信号および受信に失敗した信号について、共通制御チャネルの受信品質および干渉信号レベルを算出する。受信に成功した信号の算出結果は、受信可能情報として、また、受信に失敗した信号算出結果は、受信不可情報として、受信品質記憶部１６２および干渉信号記憶部１６４に格納される。以上の機能は、第１実施形態で述べたものと同様である。【００６０】
ここで、移動端末１００に通知される報知情報には、変更後の共通制御チャネルの周波数または通信方式の候補が含まれている。変更部１８０は、この候補に含まれる所定の周波数または通信方式へ、ＲＡＣＨを変更する。【００６１】
変更部１８０は、ＲＡＣＨの変更にあたり、まず、ネットワークに対し、変更要求を行う。本実施形態では、周波数の変更要求（ｘｘｘ→ｙｙｙ）を行う。次いで、移動端末側でも周波数ｙｙｙによる呼制御情報の受信が可能となるように、変更部１８０は、移動端末側の周波数の変更を行う。【００６２】
以上の構成により、待ち受け中や呼制御開始時に、ネットワークに対して、確実に受信可能な共通制御チャネルでの送信を要求することが可能となる。【００６３】
（第５の実施形態）
本実施形態では、待ち受け中または呼制御開始時に測定した共通パイロットチャネルの受信品質と、ネットワークから通知される共通制御チャネルのパワー情報から推測した共通制御チャネルの受信品質および干渉信号レベルと、過去に統計的に記憶した共通制御チャネルの受信に失敗した時の共通制御チャネルの受信レベルおよび干渉信号レベルとから、ネットワークに対して要求する共通制御チャネルの送信パワーを決定する。【００６４】
例えば、移動端末側から発信（発呼）する場合、次のようなシーケンス動作が行われる。
（１）まず、移動端末からネットワークに対し、ランダムアクセスチャネル（ＲＡＣＨ）を使用して接続要求を行う。
（２）次に、ネットワークから移動端末に対し、共通制御チャネル（ＣＣＣＨ）を使用して呼制御情報を送信する。
（３）移動端末は、ＣＣＣＨでの受信に失敗する。この場合、移動端末は、ＣＣＣＨの受信品質および干渉信号レベルを監視する。
（４）次に、移動端末は、ＣＣＣＨで受信するために必要なパワー差分（ＣＣＣＨ  ｐｏｗｅｒ  ｕｐ）を次のように算出する。
ＣＣＣＨ  ｐｏｗｅｒ  ｕｐ＝統計的にＣＣＣＨ受信に成功する受信品質−現在のＣＣＣＨ受信品質
（５）移動端末からネットワークに対し、ランダムアクセスチャネル（ＲＡＣＨ）を使用して接続要求を再送する。この時、ＲＡＣＨの中に、ＣＣＣＨ  ｐｏｗｅｒ  ｕｐを含める。
（６）ネットワークから移動端末に対し、共通制御チャネル（ＣＣＣＨ）を使用して呼制御情報を再送する。
この時、ネットワークは、ＣＣＣＨ  ｐｏｗｅｒ  ｕｐ要求を行った移動端末（図１０では、ユーザＢの移動端末）宛てのＣＣＣＨフレームのみ送信パワーをＣＣＣＨ  ｐｏｗｅｒ  ｕｐだけ増加して送信する。ＣＣＣＨ  ｐｏｗｅｒ  ｕｐ要求のない移動端末（図１０では、ユーザＡ，Ｃの移動端末）宛てのＣＣＣＨフレームは送信パワーを変更しない。
（７）これにより、移動端末は、ＣＣＣＨでの受信に成功する。
（８）その後、移動端末およびネットワークは、個別チャネルを使用した呼制御シーケンスを開始する。この時、ネットワークは、ＣＣＣＨ  ｐｏｗｅｒ  ｕｐ要求を行った移動端末宛てのＣＣＣＨ送信パワーを初期状態へ戻す。【００６５】
上記フローは、図１１に示した構成のＣＤＭＡ方式の移動端末により実現することができる。図１１において、信号解析部１２０は、以下の第１情報および第２情報を生成する。
（ｉ）第１情報
待ち受け中または呼制御開始時に測定された共通パイロットチャネルの受信品質と、上記報知情報から抽出された上記パワー情報とに基づいて算出された共通制御チャネルの受信品質および干渉信号レベルを含む情報。
（ｉｉ）第２情報
受信に失敗した共通制御チャネルの受信レベルおよび干渉信号レベルを含む情報。【００６６】
送信パワー決定部１７０は、上記第１情報と上記第２情報とに基づいて、ネットワークに対して要求する共通制御チャネルの送信パワーを決定する。送信パワーの値の決定方法としては、種々の態様を採り得るが、本実施形態では、上記で説明したフローにより送信パワーを決定する。【００６７】
以上の構成により、安定確実な受信が可能となる。【００６８】
以上述べたように、上記実施形態の構成を採用することにより、ＣＤＭＡ方式の移動端末において、共通制御チャネルでの受信失敗による呼接続の失敗や再送による接続遅延の発生確率を減らすことができる。【００６９】
その理由は、共通パイロットチャネルの受信品質およびネットワークから通知される共通制御チャネルのパワー情報から、共通制御チャネルの受信品質および干渉信号レベルを推測し、過去に共通制御チャネルの受信に失敗した時の状況を統計的に記憶しておき、待ち受け中や呼接続開始時に確実に共通制御チャネルを受信できるように隣接セルやネットワークを検索したり、ネットワークに対して周波数や通信方式の変更を要求したりするためである。【００７０】
また、ネットワーク側で共通制御チャネル専用の周波数を設けることにより、個別トラフィックチャネルの干渉を受けることなく、また、他ユーザの受信品質への影響を抑えながら、移動端末からの要求に応じて共通制御チャネルの送信パワーを制御するためである。【００７１】
以上、図面を参照して本発明の実施形態について述べたが、これらは本発明の例示であり、上記以外の様々な構成を採用することもできる。また、各実施形態の構成を任意に組み合わせることも可能である。【００７２】
また、本発明は、上記の構成に限られず、以下の態様をも含む。
（１）ＣＤＭＡ方式の移動端末の呼制御に使用する共通制御チャネルの受信方法において、測定した共通パイロットチャネルの受信品質およびネットワークから通知される制御チャネルのパワー情報から、共通制御チャネルの受信品質および干渉信号レベルを推測する方法。
（２）ＣＤＭＡ方式の移動端末の呼制御に使用する共通制御チャネルの受信方法において、過去に共通制御チャネルの受信に失敗した共通制御チャネルの受信品質および干渉信号レベルを記憶しておき、呼制御開始時に共通制御チャネルを確実に受信可能なネットワークを即座に検索する方法。
（３）ＣＤＭＡ方式の移動端末の呼制御に使用する共通制御チャネルの受信方法において、過去に共通制御チャネルの受信に失敗した共通制御チャネルの受信品質および干渉信号レベルを記憶しておき、呼制御開始時にネットワークに対して確実に受信可能な共通制御チャネルの送信を要求する方法。
（４）ＣＤＭＡ方式の移動端末の呼制御に使用する共通制御チャネルの受信方法において、ネットワークから送信する移動端末動作をトリガーとしない共通制御チャネル（例えば、着信信号）の中にシーケンスナンバーおよび過去に送信したタイミングの情報を含めることにより、共通制御チャネルを受信した移動端末が共通制御チャネルを受信可能な（不可能な）受信品質を認識する方法。
（５）ＣＤＭＡ方式の移動端末の呼制御に使用する共通制御チャネルの受信方法において、過去にネットワークから送信する移動端末動作をトリガーとしない共通制御チャネル（例えば、着信信号）の受信に失敗した時の共通制御チャネルの受信品質および干渉信号レベルを記憶しておき、共通制御チャネルを確実に受信可能なネットワークを即座に検索する方法。
（６）ＣＤＭＡ方式の移動端末の呼制御に使用する共通制御チャネルの受信方法において、過去にネットワークから送信する移動端末動作をトリガーとしない共通制御チャネル（例えば、着信信号）の受信に失敗した時の共通制御チャネルの受信品質および干渉信号レベルを記憶しておき、ネットワークに対して確実に受信可能な共通制御チャネルの送信を要求する方法。
（７）ＣＤＭＡ方式の移動端末の待ち受け中または呼制御開始時にネットワークに対して共通制御チャネルの周波数または通信方式の変更を要求する方法。
（８）ＣＤＭＡ方式の移動端末の待ち受け中または呼制御開始時にネットワークに対して共通制御チャネルの周波数または通信方式の変更を要求する方法において、ネットワークから送信される報知情報の中に変更後の周波数または通信方式の情報を含めておくことにより、ネットワークからの個別の通知なしに周波数または通信方式の変更を行う方法。
（９）ＣＤＭＡ方式移動通信システムにおいて、ネットワーク側で共通制御チャネル専用の周波数を設けることにより、個別トラフィックチャネルの干渉を受けることなく、また他ユーザの受信品質への影響を抑えながら、移動端末からの要求に応じて共通制御チャネルの送信パワーを制御する方法。
（１０）ＣＤＭＡ方式の移動端末の待ち受け中または呼制御開始時にネットワークに対して共通制御チャネルの送信パワーの変更を要求する方法。
（１１）ＣＤＭＡ方式の移動端末の待ち受け中または呼制御開始時にネットワークに対して共通制御チャネルの送信パワーの変更を要求する方法において、測定した共通パイロットチャネルの受信品質およびネットワークから通知される制御チャネルのパワー情報から推測した、共通制御チャネルの受信品質および干渉信号レベル、および過去に記憶した共通制御チャネルの受信に失敗した共通制御チャネルの受信レベルおよび干渉信号レベルから、ネットワークに対して要求する共通制御チャネルの送信パワーを決定する方法。
【図１】
0004433216.tif 000002
【図２】
0004433216.tif 000003
【図３】
0004433216.tif 000004
【図４】
0004433216.tif 000005
【図５】
0004433216.tif 000006
【図６】
0004433216.tif 000007
【図７】
0004433216.tif 000008
【図８】
0004433216.tif 000009
【図９】
0004433216.tif 000010
【図１０】
0004433216.tif 000011
【図１１】
0004433216.tif 000012